(57)【特許請求の範囲】
【請求項１】
磁性材料からなる筐体と、前記筐体に回動自在に支持された送りネジと、前記送りネジに螺合し前記送りネジの回動に応じて移動する光学基台と、前記光学基台の一端部に設けられた突起と、前記光学基台の上に固定されたマグネットとを備え、前記マグネットは前記突起の近傍に位置し、かつ、前記マグネットと前記筐体とは空隙を介して対向し、前記マグネットの吸引力により、前記光学基台を前記筐体に押圧して保持することを特徴とする光ピックアップ装置。
【請求項２】
磁性材料からなるヨークを備え、前記ヨークの一端部は前記光学基台と前記マグネットとの間で固定され、前記ヨークの他端部は前記筐体を挟んで前記マグネットと対向し、前記ヨークの他端部と前記筐体とは空隙を有することを特徴とする請求項１記載の光ピックアップ装置。
【発明の詳細な説明】
【０００１】
【発明の属する技術分野】
本発明は、コンパクトディスク（ＣＤ）等のディジタル情報が記録されているディスクの再生及び記録を行うディスク装置において、情報の読み取り及び書き込みに使用する光ピックアップ装置に関する。
【０００２】
【従来の技術】
図３〜図５は従来の光ピックアップ装置の構成を示している。図３は装置の背面側からの斜視図、図４は装置の上面側からの斜視図、図５は装置の要部正面図である。図３〜図５において、１はシャーシであり、このシャーシには、ディスクＤを載置するターンテーブル２を回転駆動するモータ２ａが取り付けられている。３は送りネジであり、この送りネジ３は、モータ４により歯車５を介して回転駆動される。６は光学基台であり、この光学基台６には、レーザ発光素子、受光素子、ミラー等の光学素子、対物レンズ及び対物レンズを駆動する軌道機構等が設けられている。又光学基台６には、取付部材７が固定されており、この取付部材７は送りネジ３に螺合している。
【０００３】
８はキャップであり、このキャップ８はシャーシ１の切起片１ａに保持されている。９はコイルバネであり、このコイルバネ９は切起片１ａとキャップ８の鍔部との間に配置され、このコイルバネ９の弾性力により送りネジ３は一方向に付勢されている。１０は光学基台６に一体に形成された円柱状の突起である。１１は一端が光学基台６に固定された板バネであり、この板バネ１１の先端には樹脂部材が取り付けられている。
【０００４】
上記のように構成された従来の光ピックアップ装置の動作について説明する。モータ４が回転すると、歯車５を介して送りネジ３が回転する。送りネジ３が回転すると取付部材７を介して光学基台６がディスクＤの半径方向に移動する。この際に、図５に示すように光学基台６の一端部は、突起１０とは板バネ１１の先端に固定された樹脂部材とによって、シャーシ１を挟持された状態で光学基台６がシャーシ１に案内されて移動する。
【０００５】
【発明が解決しようとする課題】
しかしながら、上記従来の光ピックアップ装置では、光学基台６が突起１０とは板バネ１１の先端に固定された樹脂部材とによって挟持された状態でシャーシ１に案内されて摺動するために、接触部の摩擦係数のバラツキによる摺動負荷の変動が発生し、さらに挟持部の摺動耐久性が劣化するという問題があった。
【０００６】
本発明は、上記従来の問題を解決するものであり、光ピックアップ装置の光学基台がシャーシに案内されて移送する際に、摺動負荷が変動することなく安定した摺動負荷が得られ、さらに摺動耐久性を向上させることのできる光ピックアップ装置を提供することを目的とするものである。
【０００７】
【課題を解決するための手段】
上記の目的を達成するために本発明は、磁性材料からなる筐体と、前記筐体に回動自在に支持された送りネジと、前記送りネジに螺合し前記送りネジの回動に応じて移動する光学基台と、前記光学基台の一端部に設けられた突起と、前記光学基台の上に固定されたマグネットとを備え、前記マグネットは前記突起の近傍に位置し、かつ、前記マグネットと前記筐体とは空隙を介して対向したものである。
【０００８】
これにより、前記マグネットの吸引力により、前記光学基台を前記筐体に押圧して保持することができ、光学基台がシャーシに案内されて移送する際に、摺動負荷が変動することなく安定した摺動負荷が得られ、さらに摺動耐久性を向上させることができる。
【０００９】
【発明の実施の形態】
本発明の請求項１に記載の発明は、磁性材料からなる筐体と、前記筐体に回動自在に支持された送りネジと、前記送りネジに螺合し前記送りネジの回動に応じて移動する光学基台と、前記光学基台の一端部に設けられた突起と、前記光学基台の上に固定されたマグネットとを備え、前記マグネットは前記突起の近傍に位置し、かつ、前記マグネットと前記筐体とは空隙を介して対向し、前記マグネットの吸引力により、前記光学基台を前記筐体に押圧して保持することを特徴とするものであり、光学基台がシャーシに案内されて移送する際に、摺動負荷が変動することなく安定した摺動負荷が得られ、さらに摺動耐久性を向上させることができるという作用を有する。
【００１０】
また、請求項２に記載の発明は、請求項１記載の発明に加えて磁性材料からなるヨークを備え、前記ヨークの一端部は前記光学基台と前記マグネットとの間で固定され、前記ヨークの他端部は前記筐体を挟んで前記マグネットと対向し、前記ヨークの他端部と前記筐体とは空隙を有することを特徴とするものであり、光学基台の筐体への保持力の向上と光学基台に保持力以上の衝撃力等が作用した場合にも、光学基台の脱落防止機能を持たせることができるという作用を有する。
【００１１】
以下、本発明の実施の形態について図面を参照して説明する。
（実施の形態）
図１及び図２は本発明の実施の形態による光ピックアップ装置の構成を示す斜視図及び要部正面図である。図３〜図５に示す従来の光ピックアップ装置の同一の構成については同一符号を記して説明を省略する。
【００１２】
図１及び図２において、１２は光学基台６の一端部に設けられた円柱状の突起である。
１３はマグネットであり、このマグネット１３は突起１２の近傍にて光学基台６の上に固定されている。図２に示すように、マグネット１３とシャーシ１との間には空隙としてのエアーギャップ１３ｂが形成されている。１４は磁性材料からなるヨークであり、このヨーク１４の一端部は光学基台６にネジ等により取付られている。図２に示すように、ヨーク１４の他端部はシャーシ１を挟んでマグネット１３と対向するように、シャーシ１と空隙を介して外側にコの字状に折り曲げられヨーク折り曲げ部１４ａを形成している。１５はシャーシ１に形成されたシャーシ孔であり、１５ａはシャーシ孔１５の孔縁部である。
【００１３】
次に、上記のように構成された本実施の形態の動作について説明する。図３に示す従来の光ピックアップ装置と同様に、モータ４が回転すると、歯車５を介して送りネジ３が回転し、送りネジ３が回転すると取付部材７を介して光学基台６がディスクＤの半径方向に移動する。
【００１４】
ここで、シャーシ１は鉄板等の磁性材料から成っているため、マグネット１３の吸引力によって光学基台６はシャーシ１側に吸引される。このとき、突起１２は、マグネット１３の大きさ、材質、エアーギャップ１３ｂ等で決定される所定の吸引力でシャーシ１に押圧される。よって、光学基台６は、突起１２とシャーシ１との間に発生する一定した負荷を生じた状態で移動することになる。これにより、接触部の摩擦係数のバラツキによる摺動負荷の変動が発生することなく、また、常に突起１２がシャーシ１に接して水平状態を維持して光学基台６を移動させることができるものである。
【００１５】
さらに、不要な衝撃等によってマグネット１３の吸引力以上の衝撃力が下方に作用して突起１２とシャーシ１との接触が開放された場合にも、ヨーク折り曲げ部１４ａがシャーシ１に当接して光学基台６の落下を防止することができ、マグネット１３の吸引力によって再び突起１２とシャーシ１とを接触させて光学基台６を正常位置に保持することができる。
【００１６】
以上のように、本実施の形態によれば、従来のように、板バネを使用することなく、マグネット１３の吸引力によってシャーシ１をガイドにして光学基台６を移動させることができ、板バネとシャーシの機械的接触がなくなり、安定した摺動性能と移動耐久性の向上を可能とするものである。
【００１７】
【発明の効果】
以上のように本発明は、マグネットの吸引力によって光学基台を保持して移動させる構成のために、安定した摺動性能と移動耐久性の向上が計れるという効果を有する。
【図面の簡単な説明】
【図１】  本発明の実施の形態における光ピックアップ装置の斜視図
【図２】  同装置の要部の正面図
【図３】  従来の光ピックアップ装置の背面図からの斜視図
【図４】  同従来の装置の上面側からの斜視図
【図５】  同従来の装置の要部正面図
【符号の説明】
１  シャーシ
３  送りネジ
６  光学基台
１２  突起
１３  マグネット
１３ｂ  エアーギャップ
１４  ヨーク
１４ａ  ヨーク折り曲げ部
１５  シャーシ孔
１５ａ  孔縁部
【図１】
0003799715.tif 000002
【図２】
0003799715.tif 000003
【図３】
0003799715.tif 000004
【図４】
0003799715.tif 000005
【図５】
0003799715.tif 000006